(57)【要約】【課題】偽造や変造防止策が種々施された印刷物上の検証すべき画像を自動で選択、減少でき、正確かつ効率よく、高い信頼性を持って検証することができる画像検証装置を提供する。【解決手段】それぞれ波長の異なる複数の光の中の特定の１つの光を被検証物としての印刷物に照射し、この光の照射により前記印刷物から得られる光学像を画像として取得し、この取得された画像を解析し、この解析結果に応じて、前記複数の光の中から前記印刷物に照射すべき１つの光を選択し、この選択された光を前記印刷物に照射し、この光の照射により前記印刷物から得られる光学像を画像として取得し、この取得された画像を表示する。【選択図】      図１
2005267461.tif 000002
【特許請求の範囲】
【請求項１】
被検証物としての印刷物に対しそれぞれ波長の異なる光を照射する複数の光源と、
これら複数の光源による光照射により前記印刷物から得られる複数の光学像をそれぞれ画像として取得する画像取得手段と、
この画像取得手段により取得された複数の画像の中の特定の１つの画像を解析する画像解析手段と、
この画像解析手段の解析結果に応じて、前記画像取得手段により取得された複数の画像の中から表示すべき１つの画像を選択する画像選択手段と、
この画像選択手段により選択された画像を表示する画像表示手段と、
を具備したことを特徴とする画像検証装置。
【請求項２】
前記複数の光源の中の１つの光源は波長が８００ｎｍ〜９５０ｎｍの範囲の赤外線を出力する赤外線ランプであり、
前記画像解析手段は、この赤外線ランプの光照射により前記画像取得手段から得られる画像を解析することを特徴とする請求項１記載の画像検証装置。
【請求項３】
被検証物としての印刷物に対しそれぞれ波長の異なる光を照射するための複数の光源と、
これら複数の光源による光照射により前記印刷物から得られる複数の光学像をそれぞれ画像として取得するための画像取得手段と、
前記複数の光源の中の特定の１つの光源の光を前記印刷物に照射し、この光照射により前記画像取得手段から得られる画像を解析する画像解析手段と、
この画像解析手段の解析結果に応じて、前記複数の光源の中から前記印刷物に光を照射すべき１つの光源を選択する光源選択手段と、
この光源選択手段により選択された光源の光を前記印刷物に照射し、この光照射により前記画像取得手段から得られる画像を表示する画像表示手段と、
を具備したことを特徴とする画像検証装置。
【請求項４】
前記複数の光源の中の特定の１つの光源は波長が８００ｎｍ〜９５０ｎｍの範囲の赤外線を出力する赤外線ランプであることを特徴とする請求項３記載の画像検証装置。
【請求項５】
前記１つの光源を除く他の光源は波長が約３６５ｎｍの紫外線を出力する紫外線ランプ、白色光を出力する白色光ランプ等であることを特徴とする請求項２または請求項４記載の画像検証装置。
【請求項６】
前記画像解析手段は画像の解析処理として文字認識処理を含むことを特徴とする請求項１または請求項３記載の画像検証装置。
【請求項７】
被検証物としての印刷物に対しそれぞれ波長の異なる複数の光を照射し、これら複数の光の照射により前記印刷物から得られる複数の光学像をそれぞれ画像として取得し、この取得された複数の画像の中の特定の１つの画像を解析し、この解析結果に応じて、前記取得された複数の画像の中から表示すべき１つの画像を選択し、この選択された画像を表示することを特徴とする画像検証方法。
【請求項８】
それぞれ波長の異なる複数の光の中の特定の１つの光を被検証物としての印刷物に照射し、この光の照射により前記印刷物から得られる光学像を画像として取得し、この取得された画像を解析し、この解析結果に応じて、前記複数の光の中から前記印刷物に照射すべき１つの光を選択し、この選択された光を前記印刷物に照射し、この光の照射により前記印刷物から得られる光学像を画像として取得し、この取得された画像を表示することを特徴とする画像検証方法。
【発明の詳細な説明】
【技術分野】
【０００１】
本発明は、たとえば、偽造あるいは変造の防止対策が要求されるカード状あるいは冊子状の個人認証媒体などの印刷物に印刷された顔画像などの画像の真偽を検証する画像検証装置および画像検証方法に関する。
【背景技術】
【０００２】
たとえば、クレジットカード、運転免許証、指定場所への入退場許可証、ＩＤカードなどの個人認証媒体は高いセキュリティ性を要求される印刷物であり、一般に個人の顔画像（顔写真）が添付され、その人を認証している。しかし、近年のカラーコピー機やカラープリンタなどの技術的進歩により、簡単に本人と変わらない偽造物を作成することが可能となっており、社会問題となっている。
【０００３】
これらの偽造、変造を防止するため種々の提案がなされている。たとえば、Ｒ（レッド）、Ｇ（グリーン）、Ｂ（ブルー）の発光を行なう３種類の色料を含む３種の蛍光インクを用いて、基材に原稿画像あるいは被写体の有するＲ，Ｇ，Ｂ画像を印刷することで蛍光体画像を形成し、可視光下では見えないが、励起光を照射したときにＲ，Ｇ，Ｂ光を発光させ、加法混色によって原稿画像あるいは被写体に近い蛍光画像が現れるようにする画像形成方法が提案されている（たとえば、特許文献１参照）。  
その他にも、偽造、変造を防止するための手段を印刷物上に複数形成することにより印刷物のセキュリティ性を高めている。
【特許文献１】特開平１０−３５０８９号公報
【発明の開示】
【発明が解決しようとする課題】
【０００４】
ところが、上記従来の技術では、励起のための光源として、たとえば、ＵＶ−Ａタイプのブラックライトを使用して、励起光を印刷物に照射し、蛍光画像を目視で確認している。また、それ以外の複数の偽造、変造防止手段も目視により確認している。そのため、印刷物の真偽を判定すべきものが複数ある場合、真偽判定の効率が悪く、複数のものを人間が目視で確認しているため、真偽判定の信頼性が悪いという課題がある。
【０００５】
そこで、本発明は、偽造や変造防止策が種々施された印刷物上の検証すべき画像を自動で選択、減少でき、正確かつ効率よく、高い信頼性を持って検証することができる画像検証装置および画像検証方法を提供することを目的とする。
【課題を解決するための手段】
【０００６】
本発明の画像検証装置は、被検証物としての印刷物に対しそれぞれ波長の異なる光を照射する複数の光源と、これら複数の光源による光照射により前記印刷物から得られる複数の光学像をそれぞれ画像として取得する画像取得手段と、この画像取得手段により取得された複数の画像の中の特定の１つの画像を解析する画像解析手段と、この画像解析手段の解析結果に応じて、前記画像取得手段により取得された複数の画像の中から表示すべき１つの画像を選択する画像選択手段と、この画像選択手段により選択された画像を表示する画像表示手段とを具備している。
【０００７】
また、本発明の画像検証方法は、被検証物としての印刷物に対しそれぞれ波長の異なる複数の光を照射し、これら複数の光の照射により前記印刷物から得られる複数の光学像をそれぞれ画像として取得し、この取得された複数の画像の中の特定の１つの画像を解析し、この解析結果に応じて、前記取得された複数の画像の中から表示すべき１つの画像を選択し、この選択された画像を表示することを特徴とする。
【発明の効果】
【０００８】
本発明によれば、偽造や変造防止策が種々施された印刷物上の検証すべき画像を自動で選択、減少できるため、正確かつ効率よく、高い信頼性を持って検証することができる画像検証装置および画像検証方法を提供できる。
【発明を実施するための最良の形態】
【０００９】
以下、本発明の実施の形態について図面を参照して説明する。  
図１は、本実施の形態に係る画像検証装置の構成を概略的に示すものである。この画像検証装置１１は、印刷画像の真偽を検証のために、被検証物としての印刷物（クレジットカード、運転免許証、入退場許可証など個人認証媒体）Ｐを挿入する挿入部１２、挿入部１２から挿入された印刷物Ｐ上に対しそれぞれ異なる波長のる光を照射する複数の光源１３1〜１３N、複数の光源１３1〜１３Nの各動作をそれぞれ制御する光源制御部１４、印刷物Ｐ上からの光学像を電気信号に変換する画像取得手段としてのカメラなどの画像入力部１５、画像入力部１５からの画像信号をデジタル画像情報に変換するＡ／Ｄ変換器１６、本装置全体の制御や取得したデジタル画像情報の解析、表示すべき画像の選択などを行なう制御手段としてのＣＰＵ（セントラル・プロセッシング・ユニット）１７、画像情報などの記憶に用いる記憶手段としてのメモリ１８、および、選択された画像などを表示する画像表示手段としての表示部１９を具備して構成されている。
【００１０】
本実施の形態では、複数の光源１３1〜１３Nは、たとえば、Ｎ＝３とすると、第１の光源１３1は波長が９００ｎｍの赤外線を出力する赤外線ランプ、第２の 光源１３2は白色光を出力する白色光ランプ、第３の光源１３3は波長が３６５ｎｍの紫外線を出力する紫外線ランプとしている。
【００１１】
第３の光源１３3である紫外線ランプは、紫外線を照射することにより可視光 を発光する蛍光画像を取得するために設けている。また、第２の光源１３2であ る白色光ランプは、顔画像のようなカラー画像、黒などの文字画像、あるいは、ホログラムなどのＯＶＤ（オプティカル・バリアブル・デバイス）パターンを取得するために設けている。また、カーボンブラックよりなるインクで形成された画像は波長が９００ｎｍの赤外線を照射した場合にも赤外線を吸収するため、光学画像として取得できる。このことは、カーボンブラックよりなるインクによって形成されている画像か否かを検証するのに利用できる。このため、本実施の形態では第１の光源１３1として波長が９００ｎｍの赤外線を出力する赤外線ラン プを設けている。
【００１２】
なお、本実施の形態では、画像入力部１５として、たとえば、可視光全体と波長が９００ｎｍの赤外線まで光学画像として取得できるカラーＣＣＤよりなるカメラを用いているが、取得すべき光学画像が可視光外である場合は、２つ以上の画像入力部を有してもよい。
【００１３】
ここで、検証する印刷物Ｐとして例えばＩＤカードなどの個人認証媒体を考える。個人認証媒体には、顔画像などのカラー画像、氏名、生年月日、発行年月日などからなる文字画像の他に、紫外線励起型の蛍光体や蛍光画像、ホログラムなどのＯＶＤパターンなどが形成されている。これらは、偽造、変造を防止するための手段であり、国によりその種類、数が異なっている。
【００１４】
また、この種の個人認証媒体には機械読取り可能なものがあり、国際的な規格で定められたＭＲＺ（Ｍａｃｈｉｎｅ  Ｒｅａｄａｂｌｅ  Ｚｏｎｅ）なるものが形成されている場合が多い。このＭＲＺは２行の文字列によりなるが、波長が９００ｎｍの赤外線を照射しても画像が得られなければならない。ＭＲＺパターンには、国を表す略号も含まれている。本実施の形態でも、第１の光源１３1と して波長が９００ｎｍの赤外線ランプを設けたが、後述する第１の画像は、この赤外線ランプからの赤外線をＭＲＺパターンに照射したときに得られる文字画像としている。ここで、第１の光源１３1はこの範囲に限られるものではなく、可 視光を発光する光源であってもよい。
【００１５】
次に、このような構成において、第１の動作例について図２に示すフローチャートを参照して説明する。なお、複数の光源１３1〜１３Nは、前記説明例と同様、３個として説明する。
【００１６】
被検証物としての印刷物Ｐが挿入部１２に挿入されると（ステップＳ１）、ＣＰＵ１７は光源制御部１４を介して第１の光源１３1（赤外線ランプ）を点灯し 、印刷物Ｐ上に波長が９００ｎｍの赤外線を照射する（ステップＳ２）。この第１の光源１３1の光の照射による印刷物Ｐ上からの光学像は画像入力部１５で取 得され、Ａ／Ｄ変換器１６でデジタル画像情報に変換されて、第１の画像としてＣＰＵ１７に入力される（ステップＳ３）。ＣＰＵ１７は、入力された第１の画像をメモリ１８に一時記憶する。ここに、このステップＳ３の処理が本発明における画像取得手段に対応している。
【００１７】
次に、ＣＰＵ１７は、全ての画像取得が終了したか否かをチェックし（ステップＳ４）、この場合はまだ終了していないので、ステップＳ２に戻って第２の光源（白色光ランプ）１３2を点灯し、印刷物Ｐ上に白色光を照射する（ステップ Ｓ２）。この第２の光源１３2の光の照射による印刷物Ｐ上からの光学像は画像 入力部１５で取得され、Ａ／Ｄ変換器１６でデジタル画像情報に変換されて、第２の画像としてＣＰＵ１７に入力される（ステップＳ３）。ＣＰＵ１７は、入力された第２の画像をメモリ１８に一時記憶する。
【００１８】
次に、ＣＰＵ１７は、全ての画像取得が終了したか否かをチェックし（ステップＳ４）、この場合はまだ終了していないので、ステップＳ２に戻って第３の光源（紫外線ランプ）１３3を点灯し、印刷物Ｐ上に紫外線を照射する（ステップ Ｓ２）。この第３の光源１３3の光の照射による印刷物Ｐ上からの光学像は画像 入力部１５で取得され、Ａ／Ｄ変換器１６でデジタル画像情報に変換されて、第３の画像としてＣＰＵ１７に入力される（ステップＳ３）。ＣＰＵ１７は、入力された第３の画像をメモリ１８に一時記憶する。
【００１９】
次に、ＣＰＵ１７は、全ての画像取得が終了したか否かをチェックし（ステップＳ４）、この場合は終了しているで、メモリ１８に一時記憶した複数の画像の中の第１の画像を取出し、当該第１の画像を解析する（ステップＳ５）。ここに、このステップＳ５の処理が本発明における画像解析手段に対応している。
【００２０】
次に、ＣＰＵ１７は、第１の画像の解析結果に応じて、表示部１９に表示すべき画像を、メモリ１８に一時記憶した複数の画像の中から選択する（ステップＳ６）。ここに、このステップＳ６の処理が本発明における画像選択手段に対応している。  
次に、ＣＰＵ１７は、選択した画像を表示部１９に表示し（ステップＳ７）、一連の動作を終了する。
【００２１】
このような第１の動作を行なう画像検証装置１１の作用効果について以下に説明する。  
当該画像検証装置１１は、個人認証媒体のような偽造、変造防止手段が複数形成されている印刷物の検証に用いることができる。すなわち、前述の通り、ＭＲＺパターンを有する個人認証媒体の場合、第１の画像は、ＭＲＺパターンに波長が９００ｎｍの赤外線を照射して得られる画像となる。もし、第１の画像が意味のない画像、たとえば、画像として取得できない場合、表示すべき画像は、第１の画像とすることができる。この場合、ＭＲＺパターンの形成に使用しているインクは、波長が９００ｎｍの赤外線を吸収できない顔料あるいは染料を用いたものであることを意味し、個人認証媒体が偽造あるいは変造されていることを意味する。この第１の画像を表示部１９に表示すれば、印刷物Ｐの真偽の検証を容易に行なうことができる。
【００２２】
また、第１の画像が意味のある画像であり、２列の文字画像であった場合、ステップＳ５の解析処理では、文字認識処理が行なわれる。ＭＲＺパターンには、前述の通り、国を表わす略称が含まれている。このことを利用して、ステップＳ５の解析処理では文字認識処理を施した第１の画像から国を表わす略称を取出し、国を特定する。各国の個人認証媒体に形成されている偽造、変造防止手段をあらかじめリストとして所有していれば、国を特定することができ、どの光源による画像が含まれているかを特定することができる。  
また、ステップＳ６の表示画像選択処理とステップＳ７の選択画像表示処理では、特定した国の偽造、変造防止手段から数個を選択し、それに該当する取得画像を表示する。
【００２３】
このような第１の動作を行なう画像検証装置１１を用いることにより、複数の偽造、変造防止手段を選択的に表示することができ、検証すべきアイテムを減らすことができるため、人間が目視確認する場合に、正確かつ効率がよく、信頼性を向上することができる。
【００２４】
次に、第２の動作例について図３に示すフローチャートを参照して説明する。なお、複数の光源１３1〜１３Nは、前記第１の動作例と同様、３個として説明する。
【００２５】
被検証物としての印刷物Ｐが挿入部１２に挿入されると（ステップＳ１１）、ＣＰＵ１７は光源制御部１４を介して第１の光源１３1（赤外線ランプ）を点灯 し、印刷物Ｐ上に波長が９００ｎｍの赤外線を照射する（ステップＳ１２）。この第１の光源１３1の光の照射による印刷物Ｐ上からの光学像は画像入力部１５ で取得され、Ａ／Ｄ変換器１６でデジタル画像情報に変換されて、第１の画像としてＣＰＵ１７に入力される（ステップＳ１３）。ＣＰＵ１７は、入力された第１の画像をメモリ１８に一時記憶する。ここに、このステップＳ１３の処理が本発明における画像取得手段に対応している。
【００２６】
次に、ＣＰＵ１７は、メモリ１８に一時記憶した第１の画像を解析する（ステップＳ１４）。ここに、このステップＳ１４の処理が本発明における画像解析手段に対応している。  
次に、ＣＰＵ１７は、第１の画像の解析結果に応じて、印刷物Ｐに光を照射すべき光源を、複数の光源１３1〜１３Nの中から選択する（ステップＳ１５）。ここに、このステップＳ１５の処理が本発明における光源選択手段に対応している。
【００２７】
次に、ＣＰＵ１７は、選択した光源を点灯し、印刷物Ｐ上に光を照射する（ステップＳ１６）。この光源の光照射による印刷物Ｐ上からの光学像は画像入力部１５で取得され、Ａ／Ｄ変換器１６でデジタル画像情報に変換されて、選択画像としてＣＰＵ１７に入力される（ステップＳ１７）。ＣＰＵ１７は、入力された選択画像をメモリ１８に一時記憶する。
【００２８】
次に、ＣＰＵ１７は、全ての画像取得が終了したか否かをチェックし（ステップＳ１８）、まだ終了していなければ、ステップＳ１０に戻って上記同様な動作を繰り返す。  
ステップＳ１８におけるチェックの結果、全ての画像取得が終了していれば、ＣＰＵ１７は、メモリ１８に一時記憶した選択画像を表示部１９に表示し（ステップＳ１９）、一連の動作を終了する。
【００２９】
このような第２の動作を行なう画像検証装置１１の作用効果について以下に説明する。  
当該画像検証装置１１は、個人認証媒体のような偽造、変造防止手段が複数形成されている印刷物の検証に用いることができる。すなわち、前述の通り、ＭＲＺパターンを有する個人認証媒体の場合、第１の画像は、ＭＲＺパターンに波長が９００ｎｍの赤外線を照射して得られる画像となる。もし、第１の画像が意味のない画像、たとえば、画像として取得できない場合、表示すべき画像は、第１の画像とすることができる。この場合、ＭＲＺパターンの形成に使用しているインクは、波長が９００ｎｍの赤外線を吸収できない顔料あるいは染料を用いたものであることを意味し、個人認証媒体が偽造あるいは変造されていることを意味する。この第１の画像を表示部１９に表示すれば、印刷物Ｐの真偽の検証を容易に行なうことができる。
【００３０】
また、第１の画像のみを表示するので、他の光源による画像を取得する必要がなくなるため、装置の動作時間を大幅に短縮することができ、印刷物Ｐの検証の効率をより向上することができる。
【００３１】
また、第１の画像が意味のある画像であり、２列の文字画像であった場合、ステップＳ１４の解析処理では、文字認識処理が行なわれる。ＭＲＺパターンには、前述の通り、国を表わす略称が含まれている。このことを利用して、ステップＳ１４の解析処理では文字認識処理を施した第１の画像から国を表わす略称を取出し、国を特定する。各国の個人認証媒体に形成されている偽造、変造防止手段をあらかじめリストとして所有していれば、国を特定することができ、どの光源による画像が含まれているかを特定することができる。  
また、ステップＳ１５の光源選択処理とステップＳ１７の選択画像取得処理では、特定した国の偽造、変造防止手段から数個を選択し、それに該当する光源の光を印刷物Ｐ照射し、光学画像を取得する。
【００３２】
このような第２の動作を行なう画像検証装置１１を用いることにより、複数の偽造、変造防止手段を選択的に取得することができ、検証すべきアイテムを減らすことができるため、人間が目視確認する場合に、正確かつ効率がよく、信頼性を向上することができる。  
さらに、取得すべき画像を減少させることができるため、装置の動作時間を短縮することができ、印刷物Ｐの検証の効率を向上することができる。
【図面の簡単な説明】
【００３３】
【図１】本発明の実施の形態に係る画像検証装置の構成を概略的に示すブロック図。
【図２】第１の動作例を説明するためのフローチャート。
【図３】第２の動作例を説明するためのフローチャート。
【符号の説明】
【００３４】
Ｐ…印刷物、１１…画像検証装置、１２…挿入部、１３1〜１３N…光源、１４…光源制御部、１５…画像入力部（画像取得手段）、１６…Ａ／Ｄ変換器、１７…ＣＰＵ（制御手段）、１８…メモリ（記憶手段）、１９…表示部（画像表示手段）。
【図１】
2005267461.tif 000003
【図２】
2005267461.tif 000004
【図３】
2005267461.tif 000005